【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
入力された入力画像を縮小した縮小画像を得る縮小画像生成手段と、
前記縮小画像を含む縮小率の異なる複数の画像のそれぞれについて、画素毎の輝度にゲインを対応づけたゲインデータを得るゲインデータ生成手段と、
生成された前記ゲインデータに基づいて、前記入力画像を増幅するための制御ゲインを決定する決定手段とを備え、
前記決定手段は、前記複数の画像のうち相対的に高い周波数を持つ画像に対する前記ゲインデータを第１のゲインデータ、前記複数の画像のうち相対的に低い周波数を持つ画像に対する前記ゲインデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインとの加算結果である第２の加算結果、に基づいて前記制御ゲインを決定することを特徴とする画像処理装置。
【請求項２】
入力された入力画像を縮小した縮小画像を得る縮小画像生成手段と、
前記縮小画像を含む縮小率の異なる複数の画像をそれぞれ加算する画像加算手段と、
加算された画像の輝度に基づいて、前記入力画像を増幅するための制御ゲインを決定する決定手段とを備え、
前記画像加算手段は、前記複数の画像のうち相対的に高い周波数を持つ画像を第１の画像、前記複数の画像のうち相対的に低い周波数を持つ画像を第２の画像としたときに、前記第１の画像および前記第２の画像の着目画素の画素値同士の加算結果である第１の加算結果、及び、前記第１の画像の当該着目画素の画素値と、前記第２の画像における当該着目画素の周辺領域の画素値に基づく画素値との加算結果である第２の加算結果とを、加重加算することを特徴とする画像処理装置。
【請求項３】
入力された入力画像に基づいてゲインデータを得るゲインデータ生成手段と、
生成されたゲインデータを縮小した縮小ゲインデータを得る縮小データ生成手段と、
前記縮小ゲインデータを含む縮小率の異なる複数のゲインデータに基づいて、前記入力画像を増幅するための制御ゲインを決定する決定手段とを備え、
前記決定手段は、前記複数のゲインデータのうち相対的に高い周波数を持つゲインデータを第１のゲインデータ、前記複数のゲインデータのうち相対的に低い周波数を持つゲインデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインとの加算結果である第２の加算結果と、に基づいて前記制御ゲインを決定することを特徴とする画像処理装置。
【請求項４】
入力された入力画像から当該入力画像と異なる周波数帯域を持つ帯域制限画像を生成する帯域制限画像生成手段と、
前記帯域制限画像を含む周波数帯域の異なる複数の画像のそれぞれについて、ゲインデータを得るゲインデータ生成手段と、
生成された前記ゲインデータに基づいて、前記入力画像を増幅するための制御ゲインを決定する決定手段とを備え、
前記決定手段は、前記複数の画像のうち相対的に高い周波数を持つ画像に対するゲインデータを第１のゲインデータ、前記複数の画像のうち相対的に低い周波数を持つ画像に対するゲインデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインの加算結果である第２の加算結果、に基づいて前記制御ゲインを決定することを特徴とする画像処理装置。
【請求項５】
入力された入力画像から当該入力画像と異なる周波数帯域を持つ帯域制限画像を生成する帯域制限画像生成手段と、
前記帯域制限画像を含む周波数帯域の異なる複数の画像のそれぞれを加算する画像加算手段と、
加算された画像の輝度に基づいて、前記入力画像を増幅するための制御ゲインを決定する決定手段とを備え、
前記画像加算手段は、前記複数の画像のうち相対的に高い周波数を持つ画像を第１の画像、前記複数の画像のうち相対的に低い周波数を持つ画像を第２の画像としたときに、前記第１の画像および前記第２の画像の着目画素の画素値同士の加算結果である第１の加算結果、及び、前記第１の画像の当該着目画素の画素値と、前記第２の画像における当該着目画素の周辺領域の画素の画素値に基づく画素値の加算結果である第２の加算結果とを、加重加算することを特徴とする画像処理装置。
【請求項６】
入力された入力画像に基づいてゲインデータを得るゲインデータ生成手段と、
生成されたゲインデータと異なる周波数帯域を持つ帯域制限データを生成する帯域制限データ生成手段と、
前記帯域制限データを含む複数のゲインデータに基づいて前記入力画像を増幅するための制御ゲインを決定する決定手段とを備え、
前記決定手段は、前記複数のゲインデータのうち相対的に高い周波数を持つデータを第１のゲインデータ、前記複数のゲインデータのうち相対的に低い周波数を持つデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインの加算結果である第２の加算結果、に基づいて前記制御ゲインを決定することを特徴とする画像処理装置。
【請求項７】
前記複数の画像のそれぞれに対し、エッジを保存しながらぼかし処理を行う画像ぼかし手段をさらに備え、
前記画像ぼかし手段は、着目画素に対し周辺の所定範囲の画素から、着目画素との差分の絶対値が所定の閾値以内である画素のみを抽出し、抽出した画素の平均値を出力とすることを特徴とする請求項１または２に記載の画像処理装置。
【請求項８】
前記複数の帯域制限画像のそれぞれに対し、エッジを保存しながらぼかし処理を行う画像ぼかし手段をさらに備え、
前記画像ぼかし手段は、着目画素に対し周辺の所定範囲の画素から、着目画素との差分の絶対値が所定の閾値以内である画素のみを抽出し、抽出した画素の平均値を出力とすることを特徴とする請求項４または５に記載の画像処理装置。
【請求項９】
前記決定手段は、前記第１の加算結果と前記第２の加算結果とを加重加算して前記制御ゲインを決定し、前記第１の加算結果と前記第２の加算結果とを加重加算する際には、前記第１のゲインデータと前記第２のゲインデータとの前記着目画素に対応するゲインの差分値が小さいほど前記第１の加算結果の重みを大きくし、前記差分値が大きいほど前記第２の加算結果の重みを大きくすることを特徴とする請求項１または３に記載の画像処理装置。
【請求項１０】
入力された第１の画像に基づいて、前記第１の画像よりも低周波数成分を持つ第２の画像を生成する画像生成手段と、
前記第１の画像の輝度に基づいて第１のゲインデータを生成し、前記第２の画像の輝度に基づいて第２のゲインデータを生成するゲイン生成手段と、
前記ゲイン生成手段により生成されたゲインデータに基づいて前記第１の画像に対する制御ゲインを決定する決定手段と、を有し、
前記決定手段は、前記第１の画像の着目画素に対する制御ゲインを決定する際に、前記第１のゲインデータにおける前記着目画素に対応するデータと前記第２のゲインデータにおける前記着目画素の周辺領域の画素に対応するデータとを用いることを特徴とする画像処理装置。
【請求項１１】
前記決定手段は、前記第１の画像の着目画素に対する制御ゲインを決定する際に、前記第１のゲインデータにおける前記着目画素に対応するゲインと前記第２のゲインデータにおける前記着目画素の周辺領域の画素に対応するゲインとの平均値を用いることを特徴とする請求項１０に記載の画像処理装置。
【請求項１２】
前記第２のゲインデータにおける前記着目画素の周辺領域の画素に対応するゲインは、前記周辺領域の各画素に対応する複数のゲインを加重平均したゲインであることを特徴とする請求項１１に記載の画像処理装置。
【請求項１３】
前記第２のゲインデータにおける前記着目画素の周辺領域の画素に対応するゲインは、前記周辺領域の各画素に対応する複数のゲインを、前記第１のゲインデータにおける前記着目画素に対応するゲインとの差が小さいゲインほど重み付けを大きくして加重平均したゲインであることを特徴とする請求項１２に記載の画像処理装置。
【請求項１４】
前記決定手段は、前記第１の画像の着目画素に対する制御ゲインを決定する際に、前記第１のゲインデータにおける前記着目画素に対応するゲインと前記第２のゲインデータにおける前記着目画素の周辺領域の画素に対応するゲインとの第１の平均値、及び、前記第１のゲインデータにおける前記着目画素に対応するゲインと前記第２のゲインデータにおける前記着目画素に対応するゲインとの第２の平均値を用いることを特徴とする請求項１１に記載の画像処理装置。
【請求項１５】
前記決定手段は、前記第１の画像の着目画素に対する制御ゲインを決定する際に、前記第１の平均値と前記第２の平均値との差が大きいほど、前記第２の平均値の重み付けを大きくして前記第１の平均値と前記第２の平均値を加重平均することを特徴とする請求項１４に記載の画像処理装置。
【請求項１６】
入力された入力画像を縮小した縮小画像を得る縮小画像生成工程と、
前記縮小画像を含む縮小率の異なる複数の画像のそれぞれについて、画素毎の輝度にゲインを対応づけたゲインデータを得るゲインデータ生成工程と、
生成された前記ゲインデータに基づいて、前記入力画像を増幅するための制御ゲインを決定する決定工程とを備え、
前記決定工程では、前記複数の画像のうち相対的に高い周波数を持つ画像に対する前記ゲインデータを第１のゲインデータ、前記複数の画像のうち相対的に低い周波数を持つ画像に対する前記ゲインデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインとの加算結果である第２の加算結果、に基づいて前記制御ゲインを決定することを特徴とする画像処理方法。
【請求項１７】
入力された入力画像を縮小した縮小画像を得る縮小画像生成工程と、
前記縮小画像を含む縮小率の異なる複数の画像をそれぞれ加算する画像加算工程と、
加算された画像の輝度に基づいて、前記入力画像を増幅するための制御ゲインを決定する決定工程とを備え、
前記画像加算工程では、前記複数の画像のうち相対的に高い周波数を持つ画像を第１の画像、前記複数の画像のうち相対的に低い周波数を持つ画像を第２の画像としたときに、前記第１の画像および前記第２の画像の着目画素の画素値同士の加算結果である第１の加算結果、及び、前記第１の画像の当該着目画素の画素値と、前記第２の画像における当該着目画素の周辺領域の画素値に基づく画素値との加算結果である第２の加算結果とを、加重加算することを特徴とする画像処理方法。
【請求項１８】
入力された入力画像に基づいてゲインデータを得るゲインデータ生成工程と、
生成されたゲインデータを縮小した縮小ゲインデータを得る縮小データ生成工程と、
前記縮小ゲインデータを含む縮小率の異なる複数のゲインデータに基づいて、前記入力画像を増幅するための制御ゲインを決定する決定工程とを備え、
前記決定工程では、前記複数のゲインデータのうち相対的に高い周波数を持つゲインデータを第１のゲインデータ、前記複数のゲインデータのうち相対的に低い周波数を持つゲインデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインとの加算結果である第２の加算結果と、に基づいて前記制御ゲインを決定することを特徴とする画像処理方法。
【請求項１９】
入力された入力画像から当該入力画像と異なる周波数帯域を持つ帯域制限画像を生成する帯域制限画像生成工程と、
前記帯域制限画像を含む周波数帯域の異なる複数の画像のそれぞれについて、ゲインデータを得るゲインデータ生成工程と、
生成された前記ゲインデータに基づいて、前記入力画像を増幅するための制御ゲインを決定する決定工程とを備え、
前記決定工程では、前記複数の画像のうち相対的に高い周波数を持つ画像に対するゲインデータを第１のゲインデータ、前記複数の画像のうち相対的に低い周波数を持つ画像に対するゲインデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインの加算結果である第２の加算結果、に基づいて前記制御ゲインを決定することを特徴とする画像処理方法。
【請求項２０】
入力された入力画像から当該入力画像と異なる周波数帯域を持つ帯域制限画像を生成する帯域制限画像生成工程と、
前記帯域制限画像を含む周波数帯域の異なる複数の画像のそれぞれを加算する画像加算工程と、
加算された画像の輝度に基づいて、前記入力画像を増幅するための制御ゲインを決定する決定工程とを備え、
前記画像加算工程では、前記複数の画像のうち相対的に高い周波数を持つ画像を第１の画像、前記複数の画像のうち相対的に低い周波数を持つ画像を第２の画像としたときに、前記第１の画像および前記第２の画像の着目画素の画素値同士の加算結果である第１の加算結果、及び、前記第１の画像の当該着目画素の画素値と、前記第２の画像における当該着目画素の周辺領域の画素の画素値に基づく画素値の加算結果である第２の加算結果とを、加重加算することを特徴とする画像処理方法。
【請求項２１】
入力された入力画像に基づいてゲインデータを得るゲインデータ生成工程と、
生成されたゲインデータと異なる周波数帯域を持つ帯域制限データを生成する帯域制限データ生成工程と、
前記帯域制限データを含む複数のゲインデータに基づいて前記入力画像を増幅するための制御ゲインを決定する決定工程とを備え、
前記決定工程では、前記複数のゲインデータのうち相対的に高い周波数を持つデータを第１のゲインデータ、前記複数のゲインデータのうち相対的に低い周波数を持つデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインの加算結果である第２の加算結果、に基づいて前記制御ゲインを決定することを特徴とする画像処理方法。
【請求項２２】
入力された第１の画像に基づいて、前記第１の画像よりも低周波数成分を持つ第２の画像を生成する画像生成工程と、
前記第１の画像の輝度に基づいて第１のゲインデータを生成し、前記第２の画像の輝度に基づいて第２のゲインデータを生成するゲイン生成工程と、
前記ゲイン生成工程において生成されたゲインデータに基づいて前記第１の画像に対する制御ゲインを決定する決定工程と、を有し、
前記決定工程では、前記第１の画像の着目画素に対する制御ゲインを決定する際に、前記第１のゲインデータにおける前記着目画素に対応するデータと前記第２のゲインデータにおける前記着目画素の周辺領域の画素に対応するデータとを用いることを特徴とする画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】００１２
【補正方法】変更
【補正の内容】
【００１２】
本発明に係わる画像処理装置は、入力された入力画像を縮小した縮小画像を得る縮小画像生成手段と、前記縮小画像を含む縮小率の異なる複数の画像のそれぞれについて、画素毎の輝度にゲインを対応づけたゲインデータを得るゲインデータ生成手段と、生成された前記ゲインデータに基づいて、前記入力画像を増幅するための制御ゲインを決定する決定手段とを備え、前記決定手段は、前記複数の画像のうち相対的に高い周波数を持つ画像に対する前記ゲインデータを第１のゲインデータ、前記複数の画像のうち相対的に低い周波数を持つ画像に対する前記ゲインデータを第２のゲインデータとしたときに、前記第１のゲインデータおよび前記第２のゲインデータの着目画素に対応するゲイン同士の加算結果である第１の加算結果、及び、前記第１のゲインデータの当該着目画素に対応するゲインと、前記第２のゲインデータにおける当該着目画素の周辺領域の画素に対応するゲインに基づくゲインとの加算結果である第２の加算結果、に基づいて前記制御ゲインを決定することを特徴とする。